(57)【特許請求の範囲】
【請求項１】
搬送される複数枚原稿の画像を読取窓を介して読み取り、読み取った画像に対して処理を施す画像処理装置において、
処理の指示を受け付ける指示受付手段と、
受け付けられた指示に係る処理の内容に基づき、前記読取窓が汚れているか否かの判定を行う判定手段とを備え、
前記処理の内容が、読み取った画像に対する、セキュリティに係る文字又はパターンの埋込みである場合、前記判定手段は、判定の感度を上げるように構成されていることを特徴とする画像処理装置。
【請求項２】
前記処理の内容が読み取った画像の拡大・縮小である場合、
前記判定手段は判定の感度を変更するように構成されていることを特徴とする請求項１に記載の画像処理装置。
【請求項３】
請求項１又は２に記載の画像処理装置と、
該画像処理装置によって処理された画像をシート上に形成する画像形成手段と
を備えることを特徴とする画像形成装置。
【請求項４】
読取窓の汚れを検出する検出部を備えており、搬送される複数枚原稿の画像を該読取窓を介して読み取り、読み取った画像に対して処理を施す画像処理装置での読取窓の汚れ判定方法において、
処理の指示を受け付けるステップと、
受け付けられた指示に係る処理の内容に基づき、前記読取窓が汚れているか否かの判定を行うステップと、
前記処理の内容が、読み取った画像に対する、セキュリティに係る文字又はパターンの埋込みである場合、判定の感度を上げるステップと
を含むことを特徴とする汚れ判定方法。
【発明の詳細な説明】
【技術分野】
【０００１】
本発明は、搬送される複数枚原稿の画像を読取窓を介して読み取り、読み取った画像に対して処理を施す画像処理装置、画像形成装置及び前記読取窓に対する汚れ判定方法に関する。
【背景技術】
【０００２】
近年、自動原稿送り装置（ＡＤＦ）が装着され、複数枚の原稿を自動的に搬送しながら、読取窓を介して、原稿の画像を読み取る複合機が広く普及されている。
【０００３】
しかしながら、このような複合機においては、前記読取窓がゴミ、ホコリ等によって汚れている場合、出力物に黒スジが現れる問題が生じていた。
【０００４】
このような問題に対して、例えば、特許文献１においては、出力物における汚れの原因となる読取ローラ、プラテンガラス等の部材の汚れの対応において、例えば、読取ローラに光を照射し、該読取ローラからの反射光を読取手段に読み取らせて汚れデータを取得し、該汚れデータの少なくとも変動幅の大きさを判別して汚れ検出制御を行う画像記録装置が開示されている。
【先行技術文献】
【特許文献】
【０００５】
【特許文献１】特開２００４−１５９２４０号公報
【発明の概要】
【発明が解決しようとする課題】
【０００６】
一方、実際においては、黒スジの現れが必ずしも問題を生じさせるわけではなく、場合によっては、黒スジによる影響を無視できる場合もある。例えば、原稿の縮小コピーの場合は、画像の縮小によって、黒スジが目立たなくなる。また、原稿画像の一部のみを利用し、その剰余部は除去する、いわゆる、トリミングにおいて、黒スジが該剰余部に表れる場合などが挙げられる。
【０００７】
すなわち、同様の汚れの検出が常に要求されていないにも関わらず、不要に汚れの検出を行なうことは、装置の処理負担を増加させ、処理遅延の原因となる恐れがある。しかしながら、上述した特許文献１の画像記録装置では、このような問題を解決できない。
【０００８】
本発明は、斯かる事情に鑑みてなされたものであり、その目的とするところは、読取窓が汚れているか否かの判定を行なう画像処理装置、画像形成装置において、ユーザから所定処理の指示を受け付けた場合、受け付けられた指示に係る処理の内容に基づいて、前記読取窓が汚れているか否かの判定を行い、かつ、判定の感度を変更することにより、装置の処理負担を軽減できると共に、処理遅延を防止し、ユーザの利便性を向上できる画像処理装置、画像形成装置及び汚れ判定方法を提供することにある。
【課題を解決するための手段】
【０００９】
本発明に係る画像処理装置は、搬送される複数枚原稿の画像を読取窓を介して読み取り、読み取った画像に対して処理を施す画像処理装置において、処理の指示を受け付ける指示受付手段と、受け付けられた指示に係る処理の内容に基づき、前記読取窓が汚れているか否かの判定を行う判定手段とを備え、前記処理の内容が、読み取った画像に対する、セキュリティに係る文字又はパターンの埋込みである場合、前記判定手段は、判定の感度を上げるように構成されている。
【００１０】
本発明にあっては、例えば、ユーザから前記指示受付手段が所定処理の指示を受け付けた場合、前記判定手段は、該指示受付手段によって受け付けられた指示に係る処理の内容に基づいて、前記読取窓が汚れているか否かを判定し、かつ、該判定の感度を変更する。詳しくは、前記指示受付手段によって受け付けられた指示に係る処理の内容が、読み取った画像に対する、セキュリティに係る文字又はパターンの埋込みである場合、前記判定手段は、判定の感度を上げる。
【００１３】
本発明に係る画像処理装置は、前記処理の内容が読み取った画像の拡大・縮小である場合、前記判定手段は判定の感度を変更するように構成されていることを特徴とする。
【００１４】
本発明にあっては、例えば、前記指示受付手段によって受け付けられた指示に係る処理の内容が読み取った画像の拡大である場合、前記判定手段は判定の感度を上げ、読み取った画像の縮小である場合、前記判定手段は判定の感度を下げる。
【００２５】
本発明に係る画像形成装置は、前述の発明の何れか一つに記載の画像処理装置と、該画像処理装置によって処理された画像をシート上に形成する画像形成手段とを備えることを特徴とする。
【００２６】
本発明にあっては、前記画像処理装置による処理によって得られる画像に基づき、前記画像形成手段がシート上に画像形成を行なう。
【００２７】
本発明に係る汚れ判定方法は、読取窓の汚れを検出する検出部を備えており、搬送される複数枚原稿の画像を該読取窓を介して読み取り、読み取った画像に対して処理を施す画像処理装置での読取窓の汚れ判定方法において、処理の指示を受け付けるステップと、受け付けられた指示に係る処理の内容に基づき、前記読取窓が汚れているか否かの判定を行うステップと、前記処理の内容が、読み取った画像に対する、セキュリティに係る文字又はパターンの埋込みである場合、判定の感度を上げるステップとを含むことを特徴とする。
【００２８】
本発明にあっては、例えば、ユーザから所定処理の指示が受け付けられた場合、受け付けられた指示に係る処理の内容に基づいて、前記検出部による汚れ検出の結果から前記読取窓が汚れているか否かを判定し、前記処理の内容に基づき、斯かる判定の感度を変更する。詳しくは、ユーザから受け付けられた指示に係る処理の内容が、読み取った画像に対する、セキュリティに係る文字又はパターンの埋込みである場合、判定の感度が上げられる。
【発明の効果】
【００２９】
本発明によれば、ユーザから所定処理の指示を受け付けた場合、受け付けられた指示に係る処理の内容に基づいて、前記読取窓が汚れているか否かの判定を行なうので、装置の処理負担を軽減できると共に、処理遅延を防止し、ユーザの利便性を向上できる。
【図面の簡単な説明】
【００３０】
【図１】本発明の実施の形態１に係る複合機の外見を示す斜視図である。
【図２】本発明の実施の形態１に係る複合機の要部構成を示す機能ブロック図である。
【図３】本発明の実施の形態１に係る複合機の画像読取部の要部構成を示す縦断面図である。
【図４】本発明の実施の形態１に係る複合機の画像読取部の要部構成を示す機能ブロック図である。
【図５】本発明の実施の形態１に係る複合機の画像読取部において、汚れ検出部による汚れ検出を説明する説明図である。
【図６】本発明の実施の形態１に係る複合機の画像読取部において、汚れ検出部による汚れ検出を説明する説明図である。
【図７】本発明の実施の形態１に係る複合機の画像読取部における、読取制御部の要部構成を示す機能ブロック図である。
【図８】スキャナ機能の指示において、送信する画像の解像度を設定する操作画面を示す例示図である。
【図９】コピー機能又はスキャナ機能の指示において、読み取る原稿サイズを選択する操作画面を示す例示図である。
【図１０】コピー機能の指示において、印刷時の用紙サイズ（給紙トレイ）を選択する操作画面を示す例示図である。
【図１１】とじしろ機能の指示において、とじしろの形成位置を設定する操作画面を示す例示図である。
【図１２】枠除去機能の指示において、削除すべき影の位置を設定する操作画面を示す例示図である。
【図１３】本発明の実施の形態１に係る複合機における、汚れ判定と、汚れ判定に基づく処理とを説明するフローチャートである。
【図１４】本発明の実施の形態１に係る複合機における、汚れ判定と、汚れ判定に基づく処理とを説明するフローチャートである。
【図１５】本発明の実施の形態１に係る複合機において、原稿の搬送及び読取の中止の際、表示部に表示される画面の一例を示す例示図である。
【図１６】移動コピー機能の指示において、印刷用紙の所定位置を設定する操作画面を示す例示図である。
【図１７】カードスキャン機能の指示において、画像の配置位置を設定する操作画面を示す例示図である。
【図１８】本発明の実施の形態２に係る複合機における、汚れ判定と、汚れ判定に基づく処理とを説明するフローチャートである。
【発明を実施するための形態】
【００３１】
以下に、本発明に係る、画像処理装置、画像形成装置及び汚れ判定方法を、いわゆるデジタル複合機に適用した場合を例として、図面に基づいて詳述する。なお、本発明に係る画像処理装置は、デジタル複合機に限るものでなく、例えば、スキャナなど他の装置にも適用可能であることは言うまでもない。
【００３２】
（実施の形態１）
図１は本発明の実施の形態１に係る複合機１００の外見を示す斜視図であり、図２は本発明の実施の形態１に係る複合機１００の要部構成を示す機能ブロック図である。複合機１００は、カラーコピー機能及びカラースキャナ機能等を有するデジタル複合機である。
【００３３】
複合機１００は、原稿から画像を光学的に読み取る画像読取部２０を備えており、画像読取部２０には、読み取った画像に応じた画像データを生成する画像処理部３０が接続されている。画像処理部３０には、画像処理部３０が生成した画像データに基づいて画像を出力する画像出力部４０（画像形成手段）、及び画像処理部３０が生成した画像データを外部へ送信し、また外部から画像データを受信する送受信部５０が接続されている。画像読取部２０、画像処理部３０、画像出力部４０及び送受信部５０には、使用者からの操作を受け付ける操作パネル６０が接続されている。
【００３４】
操作パネル６０は、複合機１００の動作モードを設定するための設定指示等、複合機１００の動作（処理）を制御するための指示をユーザの操作により受け付けるテンキー等と、操作に必要な情報を表示する液晶ディスプレイ等の表示部７０と、タッチパネルとを含んで構成されている。
【００３５】
表示部７０は、例えば、ＬＣＤ又はＥＬ（Electroluminescence）パネル等からなり、前記タッチパネルは、表示部７０の表示画面を覆うように設けられている。表示部７０には、複合機１００の状態、ジョブ処理の状況、画像読取部２０が読み取った原稿の画像及び操作パネル６０の操作内容の確認等、ユーザに対して報知すべき情報を表示し、ユーザから各種ジョブ（処理）の指示を受け付けるための受付画面を表示する。
【００３６】
画像処理部３０は、画像読取部２０から入力された原稿の画像データ（以下、原稿画像データという）に基づき、出力用の画像データを生成する。画像処理部３０によって生成された出力用の画像データは画像出力部４０へ出力するか、記憶部８０に保存される。
【００３７】
また、画像処理部３０では、ユーザからのジョブ指示に応じて原稿画像データに基づき、拡大、縮小、回転、トリミング、マスキング、部分削除、合成、埋込み等の画像処理を行う。
【００３８】
画像出力部４０は、画像処理部３０、もしくは記憶部８０から入力された出力用の画像データに基づいて、熱転写、電子写真、又はインクジェット等の方式により紙等の記録シート上に画像を形成する。
【００３９】
送受信部５０は、ネットワークカード又はモデム等を用いて構成されており、図示しないＬＡＮ（Local Area Network）又はインターネット等の通信ネットワークを介して外部とデータの送受信を行う。
【００４０】
記憶部８０は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ（Ovonic Unified Memory）等の不揮発性の記憶媒体により構成されている。
【００４１】
また、複合機１００は制御部１０を備えている。制御部１０は複合機１００で実行される各種の処理において、上述した各ハードウェアを制御する。また、制御部１０は、図示は省略するが、ＣＰＵ（Central Processing Unit）、ＲＯＭ及びＲＡＭを備えている。
【００４２】
前記ＣＰＵは、ＲＯＭに予め格納されている制御プログラムをＲＡＭ上にロードして実行することによって上述した各種ハードウェアの制御を行い、装置全体を実施の形態１の複合機１００として動作させる。
【００４３】
図３は本発明の実施の形態１に係る複合機１００の画像読取部２０の要部構成を示す縦断面図である。図３に示すように、本発明の実施の形態１に係る画像読取部２０は、原稿を原稿搬送路Ｆに沿って自動的に搬送する自動原稿送り装置（以下、ＡＤＦと言う）２１２と、搬送されてきた原稿の表面側の画像を読み取る表面画像読取部２１０と、搬送されてきた原稿の裏面側の画像を読み取る裏面画像読取部２１１とを備えている。
【００４４】
画像読取部２０は複合機１００の上部に設けられており、裏面画像読取部２１１を収納するＡＤＦ２１２、及び表面画像読取部２１０を収容する主走査部２１３を備えている。ＡＤＦ２１２と主走査部２１３とはヒンジ（図示せず）によって連結され、ＡＤＦ２１２はヒンジの回動によって主走査部２１３に対して開閉可能に構成されている。
【００４５】
主走査部２１３は、筐体２１４及び透明なガラス板からなるプラテン板２１５を備えており、表面画像読取部２１０は筐体２１４内に収容されている。
【００４６】
表面画像読取部２１０は、光源２２１を保持する光源ユニット２２４、複数のミラーを保持するミラーユニット２２５、レンズ２２２及びＣＣＤ２２３を有している。
【００４７】
主走査部２１３は、ユーザが原稿をプラテン板２１５上に載置して原稿画像の読み取りを行う方法（以下、原稿固定方式という）と、ＡＤＦ２１２によって自動的に原稿を搬送しながら原稿画像を読み取る方法（以下、原稿搬送方式という）とによって原稿を読み取ることができる。
【００４８】
原稿搬送方式の場合、光源ユニット２２４及びミラーユニット２２５は、読取窓２３６の直下位置であるホームポジションに静止したまま、ＡＤＦ２１２によってホームポジションの上部を通過するように搬送される原稿に対して、光源２２１から光を照射して画像を走査し、原稿の表面から反射された光は、ガラス等の透明部材からなる読取窓２３６を通過して光源ユニット２２４の内に入射され、光源ユニット２２４のミラーによって反射された後、ミラーユニット２２５によって１８０°光路変換され、レンズ２２２を介してＣＣＤ２２３に結像し、電気的な画像データに変換される。
【００４９】
一方、ＡＤＦ２１２は、原稿載置台２１６に載置された原稿を１枚ずつＡＤＦ２１２の内部へ取り込む取り込みローラ２１７と、取り込まれた原稿を原稿搬送路Ｆに沿って搬送する複数対の搬送ローラ２１８と、給紙タイミングを調節するレジストローラ２１９と、画像読取を終えた原稿を排出トレイ２３１へ排出する排紙ローラ２２０とを有しており、裏面画像読取部２１１が略Ｕ字状に弧を描く原稿搬送路Ｆ内に収まるように配設されている。
【００５０】
裏面画像読取部２１１は、光源２２６と、光源２２６からの光を反射する複数のミラーと、レンズ２２７と、ＣＣＤ２２８とを有しており、これらは筐体２２９に収容され、ユニット化されている。
【００５１】
上述したように、裏面画像読取部２１１は、ユーザから両面原稿の読み取りの要求がなされた場合、原稿搬送路Ｆを搬送される原稿の裏面の画像を読み取る。具体的には、表面画像読取部２１０によって原稿の表面の画像が読み取られた後、該原稿は原稿搬送路Ｆに沿って排出トレイ２３１に向けて搬送されるが、この際、裏面画像読取部２１１の光源２２６の下部を通過する。斯かる原稿が光源２２６（読取窓２３２）の下部を通過するとき、光源２２６は原稿の裏面に向けて光を照射し、原稿の裏面から反射された光は、ガラス等の透明部材からなる読取窓２３２を通過して筐体２２９の内に入射され、複数のミラーによって光路変換された後、レンズ２２７を介してＣＣＤ２２８に結像し、電子的な画像データに変換される。
【００５２】
また、ＡＤＦ２１２の下側は、主走査部２１３のプラテン板２１５上に載置される読取りすべき原稿を上から押さえる押さえ板２３０が設けられている。
【００５３】
更に、原稿載置台２１６には、載置された原稿の有無を検出するための原稿センサ２３５、原稿の搬送方向の原稿長さを検出する原稿長さセンサ２３３が備えられている。また、原稿載置台２１６には、原稿の横方向（奥行方向）を規制する原稿ガイド２３４が設けられている。
【００５４】
読取りすべき原稿を搬送する原稿搬送路Ｆには、搬送される原稿の位置を検出するための経路センサ２３８が複数箇所に備えられており、各センサの検出タイミングにより原稿の搬送速度、原稿の位置等を検出することが可能となっている。
【００５５】
図４は本発明の実施の形態１に係る複合機１００の画像読取部２０の要部構成を示す機能ブロック図である。本発明の実施の形態１に係る画像読取部２０は、読取制御部２０１、スキャナ部２０２、読取画像処理部２０３、読取画像記憶部２０４、Ｉ／Ｆ２０５、原稿走査部駆動モータ２０６を駆動制御するドライバ２０７、原稿搬送ローラ駆動モータ２０９を駆動制御するドライバ２０８、読取窓２３６及び読取窓２３２の汚れを検出する汚れ検出部２３７等を備えている。
【００５６】
スキャナ部２０２は、図３に示す表面画像読取部２１０及び裏面画像読取部２１１を備えており、上述した方法によって、原稿の光学データを取得する。
【００５７】
読取画像処理部２０３は、表面画像読取部２１０又は裏面画像読取部２１１で取得されたた光学データ（アナログデータ）を、ページ単位で電子的な画像データ（デジタルデータ）に変換する。
【００５８】
読取画像記憶部２０４は、例えば、フラッシュメモリ、ＥＥＰＲＯＭ（登録商標）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、読取画像記憶部２０４は、操作パネル６０を介して入力された各種指示内容、スキャナ部２０２で読み取った原稿の光学データ（原稿画像データ）等を記憶する。
【００５９】
Ｉ／Ｆ２０５は、外部機器との間でのデータ送受信のためのインターフェイスであり、例えば、読取画像処理部２０３で画像処理されたデータはＩ／Ｆ２０５を介して外部機器に送信する。
【００６０】
原稿走査部駆動モータ２０６は、原稿固定方式によって原稿画像を読み取る場合に、光源ユニット２２４及びミラーユニット２２５を適宜の速度で副走査方向に移動させるためのモータであり、読取制御部２０１からの指示により、ドライバ２０７によって適宜駆動制御される。
【００６１】
原稿搬送ローラ駆動モータ２０９は、原稿搬送路Ｆに配置された取り込みローラ２１７、搬送ローラ２１８、レジストローラ２１９、排紙ローラ２２０などの各ローラを駆動するモータであり、読取制御部２０１からの指示により、ドライバ２０８によって適宜駆動制御される。
【００６２】
汚れ検出部２３７は、読取窓２３６における、汚れ具合を検出する。搬送される原稿が読取窓２３６の上部を通過する際、原稿の粉塵、トナー、インク等が読取窓２３６に付着する場合がある。このような状態のまま印刷がされた場合は、副走査方向にスジ状の模様が発生することとなる。そこで、本発明の実施の形態１に係る複合機１００においては、汚れ検出部２３７が読取窓２３６の汚れ具合を検出し、斯かる検出の結果に応じて適宜対応が行なわれる。
【００６３】
図５及び図６は本発明の実施の形態１に係る複合機１００の画像読取部２０において、汚れ検出部２３７による汚れ検出を説明する説明図である。説明の便宜上、本発明の実施の形態１に係る複合機１００は主走査方向に７５００個のピクセルを有するものとする。
【００６４】
例えば、複合機１００の出荷時、画像読取部２０の起動時等に、主走査方向へのスキャンが行なわれ、読取窓２３６が汚れていない状態の白レベルが取得される（図５参照）。以下、得られた白レベルを基準白レベルという。取得された基準白レベルは読取画像記憶部２０４に記憶される。また、これに限るものでなく、基準白レベルに代わって、所定の閾値を設定するように構成しても良い。（図６参照）
【００６５】
一方、複数枚の原稿が搬送される場合、汚れ検出部２３７は読取窓２３６における汚れの検出を行なう。以下に、汚れ検出部２３７による検出結果に基づく汚れの判定について説明する。
【００６６】
汚れ検出部２３７は、搬送される原稿と原稿の間にて、主走査方向へのスキャンを行い、検出された白レベル値（以下、検出白レベル値という）に前記基準白レベル又は所定の閾値を下回る箇所があるか否かを、所定数のピクセル単位にて判断することにより、斯かる汚れの検出を行なう。例えば、前記ピクセル単位が「２」である場合は、前記検出白レベル値が前記基準白レベルを下回ることが２つのピクセルにて続けて生じたとき、後述するＣＰＵ２４１によって汚れているとして判定される。
【００６７】
従って、前記ピクセル単位（ピクセルの数）を増やした場合、汚れ判定の感度は低下し、前記ピクセル単位を減らした場合、汚れ判定の感度は向上する。換言すれば、前記ピクセル単位（ピクセルの数）を増減させることにより、汚れ判定の感度を変更させることができる。
【００６８】
以下の説明においては、説明の便宜上、前記ピクセル単位が「２」である場合を例にあげて説明する。なお、前記ピクセル単位は「２」に限るものでないことは言うまでもない。
【００６９】
更に、本発明の実施の形態１に係る複合機１００においては、ＣＰＵ２４１による汚れの判定において、読取窓２３６における判定領域を変更することができる。例えば、後述するパターン判定部２４７による判定結果に基づき、ＣＰＵ２４１は主走査方向の７５００個のピクセル中の一部分に係る検出白レベル値に基づいてのみ汚れの判定を行ない、又は該一部分以外の部分を汚れの判定から除外する。
【００７０】
以上のように、本発明の実施の形態１に係る複合機１００においては、必要に応じて、汚れ判定の感度を変更させ、又は判定領域を変更させるので、不要に処理が遅延されることを防ぐことができ、当該場所を清掃するユーザの手間を省くことができる。
【００７１】
図７は本発明の実施の形態１に係る複合機１００の画像読取部２０における、読取制御部２０１の要部構成を示す機能ブロック図である。読取制御部２０１は、画像読取部２０全体の動作制御を管理する部分であり、ＣＰＵ２４１、ＲＯＭ２４２、ＲＡＭ２４３、表示制御部２４４、中止部２４５、指示受付部２４６及びパターン判定部２４７を備えている。
【００７２】
ＣＰＵ２４１は、ＲＯＭ２４２に予め格納されている制御プログラムをＲＡＭ２４３上にロードして実行することによって、上記の各種ハードウェアの制御を行う。また、ＣＰＵ２４１は操作パネル６０を介してユーザから所定の指示を受け付ける。
【００７３】
表示制御部２４４は表示部７０への画像表示を制御する。例えば、ＣＰＵ２４１の指示に応じて、ユーザに通知すべきメッセージ及び前記受付画面を表示部７０に表示させる。また、表示制御部２４４は、汚れが検出されて原稿の搬送が中止された場合には、斯かる旨のメッセージを表示部７０に表示させ、読み取られた原稿に対応するプレビュー画像を表示部７０に表示させる。
【００７４】
中止部２４５は、汚れ検出部２３７による検出結果に基づき、ドライバ２０７及びドライバ２０８を制御することにより、原稿の搬送及び読取を中止させ、又は中止されている原稿の搬送及び読取を再開させる。
【００７５】
指示受付部２４６（解像度受付手段、原稿受付手段）は、表示部７０（タッチパネル）又は操作パネル６０を介して、ユーザから所定の指示を受け付ける。例えば、原稿の搬送及び読取が中止された場合、表示制御部２４４は原稿の読取を継続するか否かを問うメッセージを表示部７０へ表示させ、指示受付部２４６は、何れかの指示をタッチパネル又は操作パネル６０を介して受け付ける。
【００７６】
更に、指示受付部２４６は、解像度の設定及び原稿の選択をユーザから受け付ける。
図８はスキャナ機能の指示において、送信する画像の解像度を設定する操作画面を示す例示図であり、図９はコピー機能又はスキャナ機能の指示において、読み取る原稿サイズを選択する操作画面を示す例示図であり、図１０はコピー機能の指示において、印刷時の用紙サイズ（給紙トレイ）を選択する操作画面を示す例示図である。
【００７７】
例えば、画像処理部３０が生成した画像データ、又は読み取られた原稿画像データを外部へ送信する場合、ユーザは図８に示す操作画面を適宜操作して、２００dpi、３００dpi、４００dpi、６００dpi等の解像度を設定することが可能である。
【００７８】
また、ユーザは図９及び図１０に示す操作画面を適宜操作して、送信すべき画像データ又は原稿画像データに係る読み込み原稿サイズ、コピーの際には印刷時の用紙サイズを選択することができる。
【００７９】
斯かる解像度の設定、原稿サイズの選択及び用紙の選択は、上述したように、ユーザがタッチパネル（操作画面）又は操作パネル６０を適宜操作することにより行なわれ、この際、指示受付部２４６はタッチパネル又は操作パネル６０を介して解像度の設定、原稿サイズ及び用紙の選択をユーザから受け付ける。
【００８０】
パターン判定部２４７は、ユーザから前記受付画面を介して受け付けたジョブ（処理）の指示をパターン毎に判定する。ユーザから受け付けるジョブ（処理）の指示は、拡大・縮小パターンと、部分的変更パターンと、セキュリティ印刷パターンと、外部送信パターンとに区分することが出来る。
【００８１】
拡大・縮小パターンは、元の画像データ（例えば、原稿画像データ）に対して拡大・縮小の処理が施されるものであって、縮小機能、ページ集約（N‐up）機能、拡大機能、拡大連写（分割印刷）機能等が含まれる。拡大連写とは、1ページ分のデータを、複数枚の用紙に分割し、拡大して印刷する処理である。
【００８２】
また、部分的変更パターンは、元の画像データ（例えば、原稿画像データ）に対して部分的画像処理が施されるものであって、とじしろ機能、枠消去機能、トリミング機能、マスキング機能、メニュー印刷機能等が含まれる。
【００８３】
読取画像記憶部２０４には、上述したような、各パターンと、当該パターンに属する機能とが関連付けられたパターンテーブルが記憶されている。
【００８４】
図１１はとじしろ機能の指示において、とじしろの形成位置を設定する操作画面を示す例示図である。とじしろ機能においては、図１１に示すように、ユーザから用紙の左/右/上/下の何れかの端部における位置指定を受け付け、斯かる位置にとじしろが付けられて出力される。
【００８５】
図１２は枠除去機能の指示において、削除すべき影の位置を設定する操作画面を示す例示図である。枠消去機能においては、多くの枚数を束ねてある厚手の原稿、本などの見開きをコピーした際に、周囲又はセンターにできてしまう影が消して出力される。すなわち、ユーザから削除すべき影の位置の指定を受け付け、斯かる位置の影が削除されて出力される。
【００８６】
また、トリミング機能においては、原稿の中でユーザが指定した範囲だけを抜き出して出力でき、マスキング機能においては、原稿の中でユーザが指定した範囲だけを隠して出力できる。更に、メニュー印刷機能においては、元の画像上の所定位置に印刷メニューの画像が上書きされた状態に合成されて出力される。
【００８７】
また、セキュリティ印刷パターンは、当該画像データのセキュリティに係る文字又はパターンを埋め込むものである。例えば、以後における読み込みを禁止するためにいわゆるコントロールパターンを元の画像データに埋め込んで出力するドキュメントコントロール機能、文書の複製を抑止するために地紋パターン又は文字列を元の画像データに埋め込んで出力する地紋印刷等が含まれる。
【００８８】
また、外部送信パターンは、上述したように、ユーザから受け付けた解像度の設定及び原稿サイズの選択に基づき、例えば、読み取られた原稿画像データを外部へ送信するものである。
【００８９】
ユーザから所定のジョブ（処理）の指示が受け付けられた場合、パターン判定部２４７は斯かるジョブが上述したパターンの中どれに該当するかを判定する。ＣＰＵ２４１は、パターン判定部２４７による判定結果に基づき、汚れ検出部２３７による検出結果を解釈して、読取窓２３６が汚れているか否かを判定する。
【００９０】
なお、上述した中止部２４５、指示受付部２４６及びパターン判定部２４７は、ハードウェアロジックによって構成してもよいし、ＣＰＵ２４１が所定のプログラムを実行することにより、ソフトウェア的に構築されてもよい。
【００９１】
図１３及び図１４は本発明の実施の形態１に係る複合機１００における、汚れ判定と、汚れ判定に基づく処理とを説明するフローチャートである。以下においては、説明の便宜上、原稿の表面を読み取る際に用いられる読取窓２３６の汚れ検出に基づく処理の場合を例にあげて説明し、前記検出白レベル値が前記基準白レベルを下回ることが２つのピクセルにて続けて生じたとき、すなわち、前記ピクセル単位を「２」にしてＣＰＵ２４１による汚れの判定が行なわれるものとする。また、ユーザは複数枚（５枚）の原稿束をコピーするものとする。
【００９２】
まず、ユーザは、原稿束を原稿載置台２１６に載置した後、操作パネル６０を適宜操作して何れかのジョブ（処理）を指示する。詳しくは、ユーザは表示部７０に表示される前記受付画面を適宜操作することにより、ジョブの選択を行なう。
【００９３】
この際、画像読取部２０の指示受付部２４６は、操作パネル６０を介して所定ジョブの指示を受け付け（ステップＳ１０１）、受け付けられた指示に係るジョブ（以下、受け付けジョブという）はＲＡＭ２４３に一時的に記憶する。
【００９４】
次いで、パターン判定部２４７は、受け付けジョブが何れかのパターンに属するかを判定する。まず、パターン判定部２４７は、受け付けジョブが外部送信パターンに属するか否かを判定する（ステップＳ１０２）。斯かる判定は、読取画像記憶部２０４の前記パターンテーブルに基づいて行なわれる。
【００９５】
パターン判定部２４７は、受け付けジョブが外部送信パターンに属しないと判定した場合（ステップＳ１０２：ＮＯ）、受け付けジョブが拡大・縮小パターンに属するか否かを更に判定する（ステップＳ１０６）。斯かる判定は、読取画像記憶部２０４の前記パターンテーブルに基づいて行なわれる。
【００９６】
パターン判定部２４７によって、受け付けジョブが拡大・縮小パターンに属すると判定された場合（ステップＳ１０６：ＹＥＳ）、ＣＰＵ２４１は、判定の感度を変更する（ステップＳ１０７）。
【００９７】
例えば、受け付けジョブが原稿画像の拡大コピーである場合、ＣＰＵ２４１は、前記ピクセル単位を「１」にして判定の感度を上げて、読取窓２３６が汚れているか否かの判定を行なう。すなわち、斯かる際、１ピクセルの画像が拡大されることにより汚れ幅も大きく拡大されて出力されるので、これに対応して汚れの判定を厳しくする。
【００９８】
また、受け付けジョブが原稿画像の縮小コピーである場合、ＣＰＵ２４１は、前記ピクセル単位を「３」にして判定の感度を下げて、読取窓２３６が汚れているか否かの判定を行なう。すなわち、斯かる際、汚れ画像（スジ線）自体も縮小されるため、出力後の画像においても汚れが目立たなくなるので、汚れの判定を緩和する。
【００９９】
ＲＡＭ２４３には、このように、判定の感度が変更された旨が記憶される。以降、処理はステップＳ１０８へ移動する。
【０１００】
一方、パターン判定部２４７は、受け付けジョブを拡大・縮小パターンに属しないと判定した場合（ステップＳ１０６：ＮＯ）、受け付けジョブがセキュリティ印刷パターンに属するか否かを判定する（ステップＳ１０８）。斯かる判定は、読取画像記憶部２０４の前記パターンテーブルに基づいて行なわれる。
【０１０１】
パターン判定部２４７によって、受け付けジョブがセキュリティ印刷パターンに属すると判定された場合（ステップＳ１０８：ＹＥＳ）、ＣＰＵ２４１は、判定の感度を変更する（ステップＳ１０９）。
【０１０２】
例えば、前記ドキュメントコントロール機能及び地紋印刷等においては、元の画像についても汚れの無いことが要求されることから、ＣＰＵ２４１は、前記ピクセル単位を「１」にして判定の感度を上げて、汚れの判定を厳しくする。その後、処理はステップＳ１１０へ移行する。
【０１０３】
一方、パターン判定部２４７は、受け付けジョブをセキュリティ印刷パターンに属しないと判定した場合（ステップＳ１０８：ＮＯ）、指示受付部２４６は操作パネル６０又は前記タッチパネルを介して原稿の選択を受け付け（ステップＳ１１０）、また、用紙の選択を受け付ける（ステップＳ１１１）。
【０１０４】
次いで、ＣＰＵ２４１は、原稿サイズと倍率と用紙サイズの関係に基づき、原稿サイズに倍率を乗じた値と用紙サイズとの大小を比較し、原稿サイズに倍率を乗じた値（サイズ）が用紙サイズ以上であるか否かを判定する（ステップＳ１１２）。
【０１０５】
用紙サイズの方が小さいと判定した場合（ステップＳ１１２：ＹＥＳ）、ＣＰＵ２４１は、判定の領域を変更する（ステップＳ１１３）。
通常は原稿の画像領域で判定を行なうが、前記判定により用紙サイズの方が小さい場合は、原稿画像に印刷されない領域を含むことになり、その領域は画像が形成されないので、当該領域に相当する読取窓２３６での汚れの判定は不要となる。従って、ＣＰＵ２４１は、当該領域を判定対象から除外し、又は当該領域に係る汚れの検出結果を無効にするなどによって、判定領域の変更を行なう。
【０１０６】
具体的には、用紙サイズを倍率で除した値を判定領域に設定することになる。ただし、その値が７５００を超える場合には、最大値として７５００で制限されることになる。以降、処理はステップＳ１１４へ移動する。
【０１０７】
また、ＣＰＵ２４１によって、用紙サイズの方が大きいもしくは用紙サイズと等しいと判定された場合（ステップＳ１１２：ＮＯ）、パターン判定部２４７は、受け付けジョブが部分的変更パターンに属するか否かを判定する（ステップＳ１１４）。斯かる判定は、読取画像記憶部２０４の前記パターンテーブルに基づいて行なわれる。
【０１０８】
例えば、ユーザがとじしろコピーを意図している場合、前記受付画面にてとじしろ機能を選択し、図１１に示したように、とじしろを付すべき位置及び幅等の領域を指定する。
【０１０９】
すなわち、例えば、ユーザからとじしろコピーの指示が受け付けられた場合、パターン判定部２４７によって、受け付けジョブが部分的変更パターンに属すると判定され（ステップＳ１１４：ＹＥＳ）、この際、指示受付部２４６は、操作パネル６０又は前記タッチパネルを介して斯かる位置及び幅等の領域指定を受け付ける（ステップＳ１１５）。
【０１１０】
次いで、ＣＰＵ２４１は、指示受付部２４６が受け付けた領域指定に基づき、汚れの判定における、判定領域の変更を行なう（ステップＳ１１６）。
【０１１１】
すなわち、指示受付部２４６が受け付けた領域指定によって特定される領域には画像が形成されないので、当該領域に相当する読取窓２３６での汚れの判定は不要となる。従って、ＣＰＵ２４１は、当該領域を判定対象から除外し、又は当該領域に係る汚れの検出結果を無効にするなどによって、判定領域の変更を行なう。判定領域の変更については、上述した通りであり、詳しい説明は省略する。
【０１１２】
ＲＡＭ２４３には、このように、判定領域が変更された旨が記憶される。以降、処理はステップＳ１１７に移動し、変更後の判定領域に基づいてＣＰＵ２４１による汚れの判定が行なわれる。
【０１１３】
一方、パターン判定部２４７によって、受け付けジョブが部分的変更パターンに属しないと判定された場合（ステップＳ１１４：ＮＯ）、判定の感度も、判定領域も変更されず、処理はステップＳ１１７に進む。
【０１１４】
しかし、例えば、ユーザが前記原稿画像データの外部送信を意図している場合、前記受付画面を適宜操作して外部送信を選択し、上述したように、解像度の設定と、原稿サイズの選択とを行なうことになる。
【０１１５】
すなわち、例えば、ユーザから外部送信の指示が受け付けられた場合、パターン判定部２４７によって、受け付けジョブが外部送信パターンに属すると判定され（ステップＳ１０２：ＹＥＳ）、この際、指示受付部２４６は、操作パネル６０又は前記タッチパネルを介して、原稿サイズの選択を受け付け（ステップＳ１０３）、また解像度の設定を受け付ける（ステップＳ１０４）。
【０１１６】
次いで、ＣＰＵ２４１は、指示受付部２４６が受け付けた解像度の設定に基づいて判定の感度を増減させ、また指示受付部２４６が受け付けた原稿サイズの選択に基づき、判定領域の変更を行なう（ステップＳ１０５）。斯かる判定の感度の変更と、判定領域の変更については既に説明しており、詳しい説明は省略する。
【０１１７】
以降、処理はステップＳ１１７に移動し、変更後の判定の感度及び判定領域に基づいてＣＰＵ２４１による汚れの判定が行なわれる。
【０１１８】
次いで、ＣＰＵ２４１は、ドライバ２０７及びドライバ２０８を制御して、原稿載置台２１６に載置された原稿束の自動搬送及び読取を行なう（ステップＳ１１７）。原稿は所定のインタバルをおいて、１枚ずつ搬送され、読取窓２３６の上部を通過する際、上述したように原稿の読取が行なわれ、原稿と原稿との間にて、汚れ検出が行なわれる。読み取られた原稿の画像データはＲＡＭ２４３に記憶される。
【０１１９】
１枚目原稿の読取が終わった後、２枚目が原稿搬送路Ｆに沿って搬送されるが、２枚目が読取窓２３６の上部を通過する前、経路センサ２３８の検知結果に基づき、ＣＰＵ２４１が汚れ検出部２３７に汚れ検出を指示する。ＣＰＵ２４１の指示に応じて、走査方向のスキャンが行われ、汚れ検出部２３７は読取窓２３６の汚れ具合を検出する（ステップＳ１１８）。汚れ検出部２３７による汚れ検出については既に説明しており、詳しい説明を省略する。
【０１２０】
次いで、ＣＰＵ２４１は、汚れ検出部２３７によって検出された白レベル値（検出白レベル）と、前記基準白レベルを比較することにより、読取窓２３６が汚れているか否かを判定する（ステップＳ１１９）。この際、ＣＰＵ２４１による汚れの判定は、上述したように、変更後の判定の感度又は／及び判定領域に基づいて、行なわれる。
【０１２１】
ＣＰＵ２４１は、読取窓２３６が汚れていないと判定した場合（ステップＳ１１９：ＮＯ）、直前に読み取られた原稿画像データに基づく画像、すなわちプレビュー画像の表示を表示制御部２４４に指示する。ＣＰＵ２４１の指示に応じて表示制御部２４４は、表示部７０にプレビュー画像を表示する（ステップＳ１２４）。
【０１２２】
該プレビュー画像には、原稿の搬送及び読取を継続するか否かの指示を受け付けるために、例えば、「はい」及び「いいえ」のソフトキー（図示せず）が設けられており、ユーザは、表示部７０に表示されたプレビュー画像を確認したうえ、操作パネル６０又は前記タッチパネルを適宜操作して、原稿読取の中止又は継続を指示する。
【０１２３】
一方、ＣＰＵ２４１によって読取窓２３６が汚れていると判定された場合（ステップＳ１１９：ＹＥＳ）、中止部２４５はドライバ２０７及びドライバ２０８を制御して、原稿の搬送及び読取を一時中止させる（ステップＳ１２０）。
【０１２４】
原稿の搬送及び読取が中止された場合、読取済みの１枚目原稿は、排出トレイ２３１に排出されており、未だ読取が行なわれていない２枚目原稿は原稿搬送路Ｆに残留している状態である。また、これに限るものでなく、原稿搬送路Ｆ内に残留する原稿を全て排出トレイ２３１に排出した後、原稿の搬送及び読取の中止が行なわれるように構成しても良い。
【０１２５】
次いで、表示制御部２４４は、原稿の搬送及び読取が中止された旨を表示部７０に表示する（ステップＳ１２１）。
【０１２６】
図１５は本発明の実施の形態１に係る複合機１００において、原稿の搬送及び読取の中止の際、表示部７０に表示される画面の一例を示す例示図である。
【０１２７】
原稿の搬送及び読取が中止された場合、表示制御部２４４は、「スジ状の模様が表れる可能性があります。ＡＤＦ装置の読取窓を清掃してください」とのテキストと、直前に読み取られた原稿に対応するプレビュー画像を表示する指示を受け付ける「プレビュー確認」ソフトキーと、原稿の搬送及び読取を継続するか否かの指示を受け付ける「はい」及び「いいえ」のソフトキーとを表示部７０に表示する。
【０１２８】
例えば、ユーザが「プレビュー確認」ソフトキーをタッチ操作した場合、表示制御部２４４は、直前に読み取られた１枚目原稿に対応するプレビュー画像を表示部７０に表示する。従って、ユーザは、斯かるプレビュー画像を視認しながら、原稿の搬送及び読取を継続するか否かを選択できる。
【０１２９】
次いで、ＣＰＵ２４１は原稿の搬送及び読取を継続する指示を受け付けたか否かを判定する（ステップＳ１２２）。斯かる判定は、ＣＰＵ２４１が表示部７０のタッチパネルからの信号を監視することにより行なわれる。
【０１３０】
例えば、ユーザが図１５の「はい」ソフトキーをタッチ操作した場合、又はステップＳ１２０にて表示されたプレビュー画像の「はい」ソフトキーをタッチ操作した場合、ＣＰＵ２４１は原稿の搬送及び読取を継続する指示を受け付けたと判定し（ステップＳ１２２：ＹＥＳ）、直前に読取が行われた原稿が最終枚か否かを判定する（ステップＳ１２５）。斯かる判定は、経路センサ２３８及び原稿センサ２３５の検知結果に基づいて行なわれる。
【０１３１】
ＣＰＵ２４１は直前に読取が行われた原稿が最終枚でないと判定した場合（ステップＳ１２５：ＮＯ）、処理をステップＳ１１７に戻し、次の原稿（２枚目原稿）を読取窓２３６の上部に搬送させて、読取を行なう。
【０１３２】
また、ＣＰＵ２４１によって直前に読取が行われた原稿が最終枚であると判定された場合（ステップＳ１２５：ＹＥＳ）、処理は終了する。
【０１３３】
一方、ＣＰＵ２４１は、原稿の搬送及び読取を継続する指示を受け付けなかったと判定した場合（ステップＳ１２２：ＮＯ）、原稿の搬送及び読取をキャンセルする指示を受け付けたか否かを判定する（ステップＳ１２３）。斯かる判定は、ＣＰＵ２４１が図１５の「いいえ」ソフトキー、又はステップＳ１２４にて表示されたプレビュー画像の「いいえ」ソフトキーの操作如何を監視することにより行なわれる。
【０１３４】
例えば、ユーザが前記「いいえ」ソフトキーをタッチ操作した場合、ＣＰＵ２４１は、原稿の搬送及び読取をキャンセルする指示を受け付けたと判定し（ステップＳ１２３：ＹＥＳ）、この後、処理は終了する。
【０１３５】
また、所定時間、ユーザによる前記「いいえ」ソフトキーのタッチ操作がされない場合、ＣＰＵ２４１は、原稿の搬送及び読取をキャンセルする指示を受け付けていなかったと判定し（ステップＳ１２３：ＮＯ）、処理をステップＳ１２２に戻す。
【０１３６】
以上の記載においては、読取窓２３６の汚れを検出し、検出の結果に基づいて処理を行なう場合を例にして説明したが、本発明はこれに限るものでない。原稿の裏面を読み取る際に用いられる読取窓２３２の汚れの判定についても適用できることは言うまでもない。
【０１３７】
（実施の形態２）
上述した拡大・縮小パターンには、更に小原稿パターンがある。小原稿パターンとは、原稿が小型な場合であり、例えば、拡大コピー、移動コピー、カードスキャン等が含まれる。
【０１３８】
拡大コピー機能は、例えば、Ｂ５サイズの原稿を読み込み、Ａ４サイズに拡大するものである。
【０１３９】
移動コピー機能は、読み込んだ写真、グラフなどの原稿を、印刷用紙の所定位置に組み合わせて出力するものである。図１６は、移動コピー機能の指示において、印刷用紙の所定位置を設定する操作画面を示す例示図である。ユーザは図１６の操作画面を適宜操作することによって印刷用紙上の所定位置を設定し、該位置に原稿の画像が組み合わされて出力される。
【０１４０】
また、カードスキャン機能は、免許証、タイムカードなど、各種カードの表裏を別々にスキャンして１枚の用紙に並べて、まとめてコピーするものである。図１７は、カードスキャン機能の指示において、画像の配置位置を設定する操作画面を示す例示図である。ユーザは図１７の操作画面を適宜操作することによって、裏表画像夫々の配置位置を設定する。
【０１４１】
読取画像記憶部２０４のパターンテーブルには、小原稿パターンと、小原稿パターンに属する機能とが関連付けられて記憶されている。
以下、このような処理について詳しく説明する。
【０１４２】
図１８は本発明の実施の形態２に係る複合機１００における、汚れ判定と、汚れ判定に基づく処理とを説明するフローチャートである。以下においては、説明の便宜上、原稿の表面を読み取る際に用いられる読取窓２３６の汚れ検出に基づく処理の場合を例にあげて説明し、前記検出白レベル値が前記基準白レベルを下回ることが２つのピクセルにて続けて生じたとき、すなわち、前記ピクセル単位を「２」にしてＣＰＵ２４１による汚れの判定が行なわれるものとする。また、ユーザは小型原稿を用いて移動コピーするものとする。
【０１４３】
まず、ユーザは、写真原稿を原稿載置台２１６に載置した後、操作パネル６０を適宜操作して何れかのジョブ（移動コピー）を指示する。
【０１４４】
この際、画像読取部２０の指示受付部２４６は、操作パネル６０を介して移動コピーの指示を受け付け（ステップＳ２０１）、受け付けられた指示に係るジョブ（以下、受け付けジョブという）はＲＡＭ２４３に一時的に記憶する。
【０１４５】
次いで、パターン判定部２４７は、受け付けジョブが何れかのパターンに属するかを判定する。まず、パターン判定部２４７は、読取画像記憶部２０４の前記パターンテーブルに基づいて、受け付けジョブが拡大・縮小パターンに属するか否かを判定する。
【０１４６】
パターン判定部２４７は、受け付けジョブが拡大・縮小パターンに属すると判定した場合、等倍コピーか否かを判定する（ステップＳ２０２）。パターン判定部２４７が受け付けジョブを等倍コピーでないと判定した場合（ステップＳ２０２：ＮＯ）、換言すれば、受け付けジョブが拡大又は縮小コピーである場合、ＣＰＵ２４１は、判定の感度を変更する（ステップＳ２０４）。以降、処理はステップ２０３に移動する。この際、受け付けジョブが拡大又は縮小コピーであるので、ＣＰＵ２４１は、上述した方法によって、判定の感度を上げ又は下げて、読取窓２３６が汚れているか否かの判定を行なう。
【０１４７】
一方、パターン判定部２４７は、受け付けジョブが等倍コピーであると判定した場合（ステップＳ２０２：ＹＥＳ）、受け付けジョブが小原稿パターンであるか否かを更に判定する（ステップＳ２０３）。
【０１４８】
パターン判定部２４７が受け付けジョブを小原稿パターンでないと判定した場合（ステップＳ２０３：ＮＯ）、以降、処理はステップＳ２０６に移動する。
【０１４９】
一方、パターン判定部２４７が、受け付けジョブを小原稿パターンであると判定した場合（ステップＳ２０３：ＹＥＳ）、ＣＰＵ２４１は、汚れの判定における、判定領域の変更を行なう（ステップＳ２０５）。
【０１５０】
すなわち、小原稿パターンの場合においては、処理すべき原稿が小型であることから、当該原稿が占める範囲を超える領域に相当する読取窓２３６での汚れの判定は不要であるので、ＣＰＵ２４１は斯かる領域を汚れの判定対象から除外し、又は当該領域に係る汚れの検出結果を無効にする。以降、処理はステップＳ２０６に移動する。
【０１５１】
続いて、変更後の判定の感度又は判定領域に基づいて、ＣＰＵ２４１による汚れの判定が行なわれる。以降における、ステップＳ２０６〜ステップＳ２１４での処理は、実施の形態１のステップＳ１１７〜ステップＳ１２５での処理と同様であり、詳しい説明を省略する。
【０１５２】
（実施の形態３）
本発明に係る複合機１００においては、上述した各種パターンに属する各種機能の他に、タブコピー機能を有している。タブコピー機能は、あらかじめ給紙トレイにタブ用紙をセットしておき、原稿に記載されている見出し等の文字を、指定したタブ用紙のタブに印刷するものである。
【０１５３】
すなわち、タブコピー機能の場合は、原稿上の見出し等の文字が記載されている箇所以外の領域に相当する読取窓２３６での汚れの判定は不要であるので、ＣＰＵ２４１は斯かる領域を汚れの判定対象から除外し、又は当該領域に係る汚れの検出結果を無効にする。
【符号の説明】
【０１５４】
２０  画像読取部
４０  画像出力部（画像形成手段）
６０  操作パネル
７０  表示部
１００  複合機
２０１  読取制御部
２１２  ＡＤＦ
２３２  読取窓
２３６  読取窓
２３７  汚れ検出部
２４１  ＣＰＵ
２４４  表示制御部
２４６  指示受付部
２４７  パターン判定部
【図１】
0005988616.tif 000002
【図２】
0005988616.tif 000003
【図３】
0005988616.tif 000004
【図４】
0005988616.tif 000005
【図５】
0005988616.tif 000006
【図６】
0005988616.tif 000007
【図７】
0005988616.tif 000008
【図８】
0005988616.tif 000009
【図９】
0005988616.tif 000010
【図１０】
0005988616.tif 000011
【図１１】
0005988616.tif 000012
【図１２】
0005988616.tif 000013
【図１３】
0005988616.tif 000014
【図１４】
0005988616.tif 000015
【図１５】
0005988616.tif 000016
【図１６】
0005988616.tif 000017
【図１７】
0005988616.tif 000018
【図１８】
0005988616.tif 000019